(57)【要約】  本発明は、画像を三次元視認可能に表示する次のような配置物に関する。すなわちこの配置物は、多数の画素を持つ画像再生装置（１）を備え、これらの画素は、シーン、対象物またはテキストごとに、１つまたは複数の像からなる情報を表示する。またこの配置物は、観察者（６）の視線方向（Ｂ）に見て画像再生装置（１）の手前に配置されたフィルタアレイ（２）を備え、このフィルタアレイは、ある特定の波長領域で透過性ある多数のフィルタ要素（２ａ）と、可視光をほぼ透過させない多数のフィルタ要素（２ｂ）とを含む。これらのフィルタ要素（２ａ、２ｂ）は、画像再生装置（１）の手前に設けられた透明な基材（３）の上に塗布されている。
2008512696.tif 000002
【特許請求の範囲】
【請求項１】
三次元的に視認可能な画像表示を行う配置物であって、
該配置物は、
―多数の画素を含む画像再生装置（１）を備え、該画素は事前に指定された割り当てにより、シーン、対象物またはテキストごとに、１つまたは複数の像からなる情報を表示し、
―観察者（６）の視線方向（Ｂ）に見て画像再生装置（１）の前に配置されたフィルタアレイ（２）を備え、該フィルタアレイは、ある特定の波長領域で透過性ある多数のフィルタ要素（２ａ）と、可視光をほぼ透過させない多数のフィルタ要素（２ｂ）とを備え、
―該フィルタ要素（２ａ、２ｂ）は、該画像再生装置（１）の前に設けられた透明な基材（３）の上に塗布されており、
―外乱光反射の発生を防止する手段が設けられていることを特徴とする、
配置物。
【請求項２】
可視光をほぼ透過させる前記フィルタ要素（２ｂ）が、前記観察者（６）の視線方向（Ｂ）に見て前記透明な基材（３）の前面に塗布され、
外乱光反射の発生を防止する手段として、少なくとも該観察者の方を向く側が反射防止コーティングされた、透明なプレート（８）が、視線方向（Ｂ）に見て前記フィルタアレイ（２）の前に配置されている、
ことを特徴とする請求項１に記載の配置物。
【請求項３】
前記透明なプレート（８）が、プラスチックまたはガラスからなり、両面が多層コーティングによって反射防止コーティングされていることを特徴とする、請求項１または２に記載の配置物。
【請求項４】
前記透明なプレート（８）と、可視光をほぼ透過させない前記フィルタ要素（２ｂ）との間に、空気が充満する０ｍｍ〜４ｍｍの間隔を設けることを特徴とする、前記各請求項のいずれかに記載の配置物。
【請求項５】
前記透明な基材（３）と、前記画像再生装置（１）の画像生成表面との間に、十分または完全に透明な導電性プレート、好ましくは複合ガラスからなる該プレートが配置されていることを特徴とする、前記各請求項のいずれかに記載の配置物。
【請求項６】
前記透明な基材（３）が十分または完全に透明な導電性ガラスプレートであって、該ガラスプレートは好ましくは複合ガラスからなることを特徴とする、請求項１〜４のいずれかに記載の配置物。
【請求項７】
可視光をほぼ透過させない前記フィルタ要素（２ｂ）が、観察者（６）の視線方向（Ｂ）に見て透明な前記基材（３）の前面または背面に塗布されており、
該フィルタ要素（２ｂ）が、外乱光反射の発生を防止するため、散漫散乱性および／またはつや消し表面（７）を備える、
ことを特徴とする、請求項１に記載の配置物。
【請求項８】
ある特定の波長領域においてほぼ透過性を持つ前記フィルタ要素（２ａ）が、可視光をほぼ透過させることを特徴とする、請求項７に記載の配置物。
【請求項９】
前記透明な基材（３）は、少なくとも片側を、好ましくは両側を、多層コーティングによって反射防止コーティングされていることを特徴とする、請求項８に記載の配置物。
【請求項１０】
前記透明な基材に設けられた、可視光をほぼ透過させる前記フィルタ要素（２ａ）は、前記観察者（６）の方を向く側が、反射防止多層コーティングにより反射防止されていることを特徴とする、請求項８または９に記載の配置物。
【請求項１１】
可視光をほぼ透過させない前記フィルタ要素（２ｂ）が、前記観察者（６）の視線方向（Ｂ）に見て前記透明な基材（３）の前面に塗布されており、
可視光をほぼ透過させない該フィルタ要素（２ｂ）の前記それぞれの散漫散乱性および／またはつや消し表面（７）が、反射防止つや消しコーティングによって形成され、
該つや消しコーティングが追加的コンポーネントとして、可視光をほぼ透過しない該フィルタ要素（２ｂ）に塗布されている、
ことを特徴とする、請求項７〜１０のいずれかに記載の配置物。
【請求項１２】
可視光を透過する前記フィルタ要素（２ａ）が、多層コーティングによって反射防止コーティングされていることを特徴とする、請求項７〜１１のいずれかに記載の配置物。
【請求項１３】
可視光を透過させない前記フィルタ要素（２ｂ）が、多層コーティングによって反射防止コーティングされていることを特徴とする、請求項７〜１２のいずれかに記載の配置物。
【請求項１４】
前記フィルタアレイ（２）が、露光された、またはプロッティングされた、または現像された写真フィルムとして形成され、
該フィルムのプラスチック基材と、選択するならば同時に、視線方向に見て該基材の後ろにあるガラスプレートとが、前記透明な基材（３）に相当し、
該ガラスプレートに該フィルムの該プラスチック基材が積層され、
可視光をほぼ透過しない前記フィルタ要素（２ｂ）が、感光済みのフィルムエマルジョンによって形成される、
ことを特徴とする前記各請求項のいずれかに記載の配置物。
【請求項１５】
すべてのフィルタ要素（２ａ、２ｂ）が、前記観察者（６）の視線方向（Ｂ）に見て透明な基材（３）の背面に塗布されており、
外乱光反射の発生を防止するため、該観察者（６）の視線方向（Ｂ）に見て前記透明な基材（３）の前面（４）には、反射防止コーティングされた表面を設け、
該透明な基材（３）の背面においては、ある特定の波長領域で透過性を持つフィルタ要素（２ａ）が塗布されている表面部分だけが、反射防止された表面を同様に設けられる、
ことを特徴とする、請求項１に記載の配置物。
【請求項１６】
すべてのフィルタ要素（２ａ、２ｂ）が、前記観察者（６）の視線方向（Ｂ）に見て透明な基材（３）の背面に塗布されており、
該観察者（６）の視線方向（Ｂ）に見て前記透明な基材（３）の前面（４）には、反射防止コーティングされた表面が設けられるが、背面には設けられない、
ことを特徴とする、請求項１に記載の配置物。
【請求項１７】
反射防止コーティングされた表面はすべて、多層コーティングとして形成されることを特徴とする、請求項１５または１６に記載の配置物。
【請求項１８】
可視光をほぼ透過させない前記フィルタ要素（２ｂ）がフィルムに塗布され、該フィルムは、前記透明な基材（３）の背面に取り付けられ、例えば接着または積層されていることを特徴とする、請求項１６または１７に記載の配置物。
【請求項１９】
可視光をほぼ透過する前記フィルタ要素（２ａ）が、前記フィルムに塗布されていることを特徴とする、請求項１８に記載の配置物。
【請求項２０】
前記フィルタ要素（２ａ、２ｂ）を設けられた面が、前記透明な基材（３）を向いて位置することを特徴とする、請求項１９に記載の配置物。
【請求項２１】
前記透明な基材と、接着層またはラミネーティング層との相互間、および接着層またはラミネーティング層と、フィルムとの相互間において、屈折率の差がそれぞれ３分の１を超えないことを特徴とする、請求項１８〜２０に記載の配置物。
【請求項２２】
可視光をほぼ透過させるフィルタ要素（２ａ）と、ほぼ透過させないフィルタ要素（２ｂ）の両者だけが、前記フィルタアレイ（２）に設けられていることを特徴とする、前記各請求項のいずれかに記載の配置物。
【請求項２３】
前記画像再生装置（１）が、カラーＬＣディスプレイ、プラズマディスプレイ、ＯＬＥＤ、またはエレクトロルミネセンスディスプレイであることを特徴とする、前記各請求項のいずれかに記載の配置物。
【請求項２４】
前記フィルタアレイ（２）の前記個々のフィルタ要素（２ａ、２ｂ）が、それぞれ任意の輪郭、好ましくは四角形の輪郭を持つことを特徴とする、前記各請求項のいずれかに記載の配置物。
【請求項２５】
前記透明な基材（３）がガラスプレートまたはプラスチックプレートであることを特徴とする、請求項１〜１３または１５〜２４のいずれかに記載の配置物。
【請求項２６】
前記透明な基材（３）に、可視光をほぼ透過させない前記フィルタ要素（２ｂ）が、黒色―好ましくはマットブラック―の顔料として塗布されていることを特徴とする、請求項２５に記載の配置物。
【請求項２７】
前記透明な基材（３）と、前記画像再生装置（１）の画像生成表面との間に、０ｍｍから２４ｍｍの間隔（５）を設けることを特徴とする、前記各請求項のいずれかに記載の配置物。
【請求項２８】
請求項１１に記載の配置物に用いるフィルタアレイ（２）を製造する方法であって、
―フィルタアレイ（２）に反射防止つや消しコーティングを全面的に塗布し、
―該反射防止つや消しコーティングの主として次のような表面部分、すなわち可視光をほぼ透過させる前記フィルタ要素（２ａ）の上に、該反射防止つや消しコーティングの表面法線にそって平行に投影されるとき、該フィルタ要素と重なり合って位置する該表面部分で、
ａ）レーザービームを照射して、該表面部分の箇所で平面的かつ非散乱性の表面を生じ、そして／または、
ｂ）例えば切断ツールまたは打ち抜き機を用いて、対応する表面部分を切り取り、そして／または、
ｃ）対応する表面部分を融解し、冷却して、該表面部分の箇所で平面的かつ非散乱性の表面を生じ、そして／または、
ｄ）酸を用いて対応する表面部分をエッチングし、該表面部分の箇所で平面的かつ非散乱性の表面を生じる、
ことにより、つや消し表面を除去する手順段階を含む方法。
【請求項２９】
請求項７〜１０または２２〜２７のいずれかに記載の配置物に用いるフィルタアレイ（２）を製造する方法であって、
―可視光をほぼ透過しないフィルタ要素（２ｂ）が透明な基材（３）に塗布されているフィルタアレイ（２）を準備し、
―可視光をほぼ透過させない該フィルタ要素（２ｂ）の上に、
ａ）該フィルタ要素（２ｂ）にレーザービームを照射して、照射箇所に散漫散乱性および／またはつや消し表面（７）を生じ、そして／または、
ｂ）該フィルタ要素（２ｂ）を機械的に粗面化して、粗面化箇所に散漫散乱性および／またはつや消し表面（７）を生じ、そして／または、
ｃ）該フィルタ要素（２ｂ）を融解、冷却して、その箇所に散漫散乱性および／またはつや消し表面（７）を生じ、そして／または、
ｄ）酸を用いて該フィルタ要素（２ｂ）をエッチングし、エッチング箇所に散漫散乱性および／またはつや消し表面（７）を生じる、
ことにより、散漫散乱性および／またはつや消し表面を得る手順段階を含む方法。
【発明の詳細な説明】
【技術分野】
【０００１】
本発明は、画像を三次元視認可能に表示する次のような配置物に関する。すなわちこの配置物は、多数の画素を持つ画像再生装置を備え、これらの画素は、シーン、対象物またはテキストごとに、１つまたは複数の像からなる情報を表示する。またこの配置物は、観察者の視線方向に見て画像表示装置の手前に配置されたフィルタアレイを備え、このフィルタアレイは、ある特定の波長領域で透過性ある多数のフィルタ要素と、可視光をほぼ透過させない多数のフィルタ要素とを含む。これらのフィルタ要素は、画像再生装置の手前に設けられた透明な基材の上に塗布されている。
【背景技術】
【０００２】
従来の技術においてこの種の配置物は、例えばレンチキュラースクリーン、フィルタアレイおよびバリヤスクリーンに基づくものが知られている。観察者にとって欠点は、画像表面にしばしば反射を生じることである。ＤＥ２００２２５８３Ｕ１は、吸収性のフィルタアレイを外側にプリントすることによって、反射を最小限化する手段を、たしかに開示している。しかしこの場合、外側表面の耐久性は非常に限られたものとなる。この考えによるもの、例えば一般に行われるスクリーンプリンティングによって外側にプリントされたフィルタアレイは、熱処理によって耐久性を改善されなければ、キーまたは類似のとがったものによって容易に掻き傷がつき、したがって商業的用途には適格性が極めて限られる。
【特許文献１】国際公開第ＷＯ０１／５６２６５号パンフレット
【発明の開示】
【発明が解決しようとする課題】
【０００３】
したがって本発明の課題は、冒頭に挙げた種類の配置物の場合に外乱光反射の発生を十分に防止し、３Ｄ‐表示の視認性を改善すること、その際同時に、配置物の外側表面にできるだけ高い耐久性を実現することである。これらの目標をできるだけ単純な手段で達成したい。
【課題を解決するための手段】
【０００４】
この課題は、冒頭に挙げた種類の配置物の場合、外乱光反射の発生を防止する手段を設けることによって解決される。この方法で、３Ｄ‐表示の視認性が改善される。
【０００５】
本発明の１つの好ましい実施形態においては、可視光をほぼ透過させないフィルタ要素が、観察者の視線方向に見て透明な基材の前面に塗布されている。この場合外乱光反射の発生を防止する手段として、少なくとも観察者を向く側を反射防止コーティングされた透明なプレートを、視線方向においてフィルタアレイの前に配置する。
【０００６】
可視光をほぼ透過させないフィルタ要素を、観察者の視線方向に見て透明な基材の前面に塗布することによって、外部の外乱光の反射を非常に良好に最小限化することができる。同時にまた、少なくとも片側を反射防止コーティングされた透明なプレートを、フィルタアレイの前に置くことによって、フィルタアレイの良好な保護が得られる。この場合、反射防止コーティングが施されていることから、透明なプレートが原因となる外乱光反射が付け加わるとしても、非常にわずかだけである。したがって、外乱光反射の発生を十分に防止し、同時に配置物の外側表面に高い耐久性を得るという課題は、本発明による配置物によって解決される。
【０００７】
つや消しコーティングの場合は、透過する有効光の望ましからざる散乱によってゴーストを生じるが、これに比べて反射防止コーティングされたプレートには、このゴーストが十分に防止されるという利点がある。
【０００８】
反射防止コーティングの代わりにつや消しコーティングを用いる場合、もう１つの措置は、つや消しコーティングと、画像再生装置の画像生成（サブ）ピクセルのスクリーンとの間で、その間隔を小さくすることであろう。ＴＦＴ−ＬＣＤスクリーンの場合、これは例えばＬＣパネルの層構造を非対称的にすることによって実現できるが、そのため観察者側のガラスプレートはまったく省かれる。観察者と反対側に取り付けられたガラスプレートは、安定性上の理由でそれが必要なら、その厚さを大きくすることができる。プラズマスクリーンの場合、フロント側のコーティングされたガラスプレートも、その厚さを減じることができる。
【０００９】
しかし反射防止つや消しコーティングの代わりに、上記のように、反射防止のための多層コーティングを、フロント偏光子に、またはＴＦＴスクリーンのフロントプレートに、またはプラズマスクリーンのフロント側ガラスプレートに、塗布することができる。このようなコーティングによって、空気および偏光フィルタ、またはガラスプレートといった、たがいに隣接する光学的媒質の光学的屈折率が適合されて、ほとんど連続的なものとなる。
【００１０】
透明なプレートは、例えばプラスチックまたはガラス製とし、好ましくは両面に多層コーティングによる反射防止を施すことができる。安全ガラスを用いることもできる。
【００１１】
すべての実施形態について当てはまるのは、透明なプレートと、可視光をほぼ透過させないフィルタ要素との間に、空気が充満する０ｍｍ〜４ｍｍの間隔が設けられることである。特別な用途の場合、この間隔は４ｍｍ以上とすることもできる。
【００１２】
特にプラズマスクリーンを画像再生装置として用いる場合、透明な基材と画像再生装置の画像生成表面との間に、十分または完全に透明な導電性プレート、好ましくは複合ガラス製の同プレートを配置すれば、有利な場合がある。
【００１３】
上記を行わず、透明な基材自体を、十分または完全に透明な導電性ガラスプレートとし、このプレートを好ましくは複合ガラス製とすることも可能である。
【００１４】
本発明のもう１つの好ましい実施形態では、可視光をほぼ透過させないフィルタ要素が、観察者の視線方向に見て透明な基材の前面または背面に塗布され、散漫散乱性および／またはつや消し表面を形成する。ある特定の波長領域でほぼ透過性あるフィルタ要素は、この場合好ましくは、可視光をほぼ透過させるものとする。
【００１５】
可視光をほぼ透過させないフィルタ要素の散漫散乱性および／またはつや消し表面によれば、外部外乱光の反射を非常に良好に最小限化することができる。これは、前記フィルタ要素が、観察者の視線方向に見て透明な基材の前面に設けられている場合、特にそうである。
【００１６】
透明な基材は、少なくとも片側が、好ましくは両側が、多層コーティングによって反射防止コーティングされているのが合目的である。可視光をほぼ透過させるフィルタ要素もまた、観察者を向く側が、反射防止多層コーティングにより反射防止されているものとすることができる。ただしこれは、このフィルタ要素が手前側に、すなわち透明な基材の観察者を向く側に設けられていない場合に限られる。
【００１７】
この実施形態の１つの好ましいバリエーションでは、可視光をほぼ透過させないフィルタ要素が、観察者の視線方向に見て透明な基材の前面に塗布される。この場合、可視光をほぼ透過させないフィルタ要素のそれぞれの散漫散乱性および／またはつや消し表面が、―ＬＣＤパネルでは一般に行われていることであるが―反射防止つや消しコーティングによって形成される。この反射防止つや消しコーティングは、追加的なコンポーネントとして、可視光をほぼ透過させないフィルタ要素に塗布される。特に屋内使用の場合、こうすれば非常に良好な条件適格性が得られる。このことは、フィルタ領域のうち透過性あるものに対する透過性がないものの面積比が大きいほど、この条件適格性は良好となる―利用される像の数が多くなるほど、一般にはこの比も大きくなる。
【００１８】
このような多数のコンポーネントからなるフィルタアレイの製造は、好ましくは次のような手順段階で行われる。まずＬＣＤパネルに一般に用いられる反射防止つや消しコーティングを、フィルタアレイの全面に塗布する。つづいてそのつや消しコーティングのうちほぼ次のような表面部分で、そのつや消し表面を除去する。この表面部分とは、可視光をほぼ透過させるフィルタ要素の上に、つや消しコーティングの表面法線にそって平行に投影されるとき、そのフィルタ要素と重なり合って位置する表面部分である。これはレーザービームの照射によって行うことができ、その結果、上記の表面部分の箇所には、平らで散乱性のない表面がつづいて生じる。そして／または対応する表面部分の切除によって、すなわち例えば切断ツールまたは打ち抜き機を用いて、そして／または対応する表面部分の融解と冷却によって、そして／または酸そのほかの化学物質を用いる表面部分のエッチングによって、いずれもその結果、上記の表面部分の箇所には、平らで散乱性のない表面がつづいて生じる。
【００１９】
この場合当然のことであるが、前記の投影によって描かれるより大きい、または小さい表面部分に、つや消しされない表面を設けることもできる。
【００２０】
上記と異なる方法として、この製造を次の手順段階で行うこともできる。フィルタアレイをまず準備する。これは、可視光をほぼ透過させないフィルタ要素を透明な基材に塗布済みであるものとする。次に散漫散乱性および／またはつや消し表面を、可視光線をほぼ透過させないフィルタ要素の上に設ける。これは前記のフィルタ要素に対するレーザービームの照射によって行うことができる。その結果、そこには散漫散乱性および／またはつや消し表面が生じる。そして／または前記フィルタ要素の機械的な粗面化によって、すなわち例えば研磨紙を用いて、そして／または前記フィルタ要素の融解と冷却によって、そして／または酸を用いての前記フィルタエレメントのエッチングによって、それぞれその結果、そこには散漫散乱性および／またはつや消し表面が生じる。
【００２１】
少なくとも透明なフィルタ要素、すなわち可視光線を透過させるフィルタ要素に、反射防止のための多層コーティングを施せば、もう１つの改善が得られる。屋外用途の場合や直射日光が当たる場合、散漫散乱性で、つや消しされ、可視光をほぼ透過させないフィルタ要素に、反射防止のための追加的な多層コーティングを施すのも合目的である。屋外用途の場合、このフィルタ要素は、しかしその代わりに通常の反射性ある表面を持つこともできる。
【００２２】
本発明による解決法はそのほか、透明な基材の上のフィルタアレイが、直接に画像再生装置の中に、すなわち例えば面的なバックグラウンド照明と、透明な画像生成装置例えばＬＣＤパネルとの間に、組み込まれている場合にも用いることができる。
【００２３】
そのほか本発明による解決法によれば、画像再生装置に専用の反射防止つや消しコーティングを設けるという方法は、過去のものとなる。このようなコーティングを設けることは可能であるが、どうしても必要なものではない。
【００２４】
このフィルタアレイは、例えば露光された、またはプロッティングされた、または現像された写真フィルムとして形成することができる。この場合フィルムのプラスチック基材と、選択するならば同時に、視線方向においてプラスチック基材の背後にあるガラスプレートまたはプラスチックプレート、すなわちフィルムのプラスチック基材に積層されている同プレートとが、前記の透明な基材に相当する。この場合、前記の可視光線をほぼ透過させないフィルタ要素は、感光したフィルムエマルジョン、または写真銀塩によって形成される。可視光をほぼ透過させるフィルム要素は、現像前に感光させないことによって形成することができる。
【００２５】
本発明のもう１つの実施形態では、すべてのフィルタ要素が、観察者の視線方向に見て透明な基材の背面に塗布される。そして観察者の視線方向に見て透明な基材の前面には、反射防止コーティングされた表面が設けられる。この場合透明な基材の背面のうち、ある特定の波長領域で透過性あるフィルタ要素が塗布されている表面部分だけに、やはり反射防止コーティングされた表面が設けられる。
【００２６】
本発明の上記と類似の実施形態の場合、やはりすべてのフィルタ要素が、観察者の視線方向に見て透明な基材の背面に塗布されているものであるが、観察者の視線方向に見て透明な基材の前面だけに、反射防止コーティングされた表面を設けて、背面には設けない。
【００２７】
この透明な基材は、両者の実施形態とも好ましくはガラスまたはプラスチック製とする。そのほか好ましくは、透明な基材上の反射防止コーティングされた表面はすべて多層コーティングとして、好ましくは干渉光学的な反射防止コーティングとして形成されるものとする。この種の薄膜は、専門家には十分知られている。
【００２８】
特に好ましい実施形態では、可視光をほぼ透過させないフィルタ要素を、透明な基材の背面に設けられた―例えば接着または積層された―フィルムに塗布する。透過性のフィルタ要素もまた、このフィルムに塗布すれば合目的である。これらのフィルタ要素は、黒色―好ましくはマットブラック―の顔料として、フィルムに塗布することができる。この場合、通常はプリントプロセスにより、フィルタアレイの組織構造として塗布される。特に好ましくは、このフィルムを自己接着型に形成し、その顔料またはフィルタ要素を施された側が、透明な基材の方を向くようにする。当然のことであるが、このフィルタ要素または顔料を施された側が、透明な基材と反対側を向くようにすることもできる。
【００２９】
フィルムを用いるこの実施形態の特に好ましいバリエーションでは、透明な基材と、接着層またはラミネーティング層―すなわちフィルムと基材の間に耐久性ある結合が得られる層―とは、相互間の屈折率の差が３分の１以上にならないように、好ましくは２０％以上にならないようにする。同様に接着層またはラミネーティング層と、フィルムとの間でも、相互間の屈折率の差が３分の１以上にならないように、好ましくは２０％以上にならないようにする。このような組み合わせによって、観察者にとって特に有利な特性が得られる。
【００３０】
すべての実施形態において、好ましくは、ある特定の波長領域で透過性あるフィルタ要素として、可視光をほぼ透過するフィルタ要素と、可視光をほぼ透過しないフィルタ要素の両者だけを、フィルタアレイに設けるものとする。フィルタアレイの個々のフィルタ要素は、それぞれ任意の輪郭、好ましくは四角形の輪郭を持つ。
【００３１】
画像再生装置としては、例えばカラーＬＣディスプレイ、プラズマディスプレイ、ＯＬＥＤ、プロジェクションディスプレイ、またはエレクトロルミネセンスディスプレイが、考慮対象となる。このほかの種類の画像再生装置も除外されない。
【００３２】
本発明のいくつかの実施形態では、可視光をほぼ透過しないフィルタ要素が、透明な基材の上に、好ましくは―もし選択するならば反射防止コーティングされた―ガラスプレートまたはプラスチックプレートの上に、黒色―好ましくはマットブラック―の顔料として塗布される。当然のことであるが、顔料に代わるそのほかの材料、例えば適切なプラスチック被覆も用いることができる。顔料を用いる場合、プリントプロセスによって、例えばスクリーンプリンティングによって、顔料をフィルタアレイの組織構造として塗布することができる。付言すればもっとも単純な場合、可視光をほぼ透過するフィルタ要素を、これら顔料を欠落させることによって形成する。最初にまず全面的に顔料塗布を行って、その後からフィルタアレイの組織を、例えばレーザーアブレーションによって生じることも考えられる。両者の場合とも、顔料を塗布した後、熱処理すれば有利である。これにより顔料の耐久性を向上させ、散漫散乱性および／またはつや消し表面の生成を促進することができる。
【００３３】
さらには透明な基材と、画像再生装置の画像生成表面との間に、０ｍｍ〜２４ｍｍの間隔を設ける。この間隔は、透明な基材と画像再生装置のたがいに向かい合うそれぞれの表面から測ったものをいう。例外的な場合には、この間隔をそれよりも大きくすることができる。透明な基材自体は、好ましくはその厚さを数百μｍ〜数ｍｍとする。ＲＧＢカラーサブピクセルが、例えばその大きさの範囲をそれぞれ幅１００μｍとする場合、この透明な基材は、好ましくは厚さ約１ｍｍとする。この基材は同時に、フィルタアレイと画像再生装置の間の一種のスペーサーに相当する。サブピクセルの厚さが約２倍になると、透明な基材はその全体を二、三ミリメートルの厚さとすることができる。
【００３４】
そのほか三次元的に視認可能な表示か、二次元表示かを選択して行う手段を、本発明による配置物で用いることができる。ただしこれは、同手段が外乱光反射に対する感受性を高めたり、または配置物の外側表面にあたえられている耐久性を減じたりしない場合に限られる。
【００３５】
フィルタアレイの構造と製造については、代表的なものとして、ＤＥ２０１２１３１８Ｕ１、特許文献１、ＰＣＴ／ＥＰ２００４／００４４６４、ＰＣＴ／ＥＰ２００４／００１８３３、ＤＥ１０１４５１３３の諸文献を参照されたい。シーン／対象物／テキストごとに、多数の像からなる情報の多数の画素への割り当てが、適切な方法で、特に上記各文献のいずれかに記載の考え方に従って行われることが、いうまでもなく前提となる。
【発明を実施するための最良の形態】
【００３６】
下記に実施例を用いて、本発明をさらに詳しく説明する。
【００３７】
図１は、本発明の第１の実施形態の原理的な略図を示す。本発明によるこの配置物は、多数の画素を含む画像再生装置１を備える。これらの画素は、シーン、対象物、またはテキストごとに、１つまたは複数の像からなる情報を表示する。またこの配置物はそのほか、観察者６の視線方向Ｂに見て画像再生装置１の手前に配置されたフィルタアレイ２を備える。このフィルタアレイは、ある特定の波長領域で透過性ある多数のフィルタ要素２ａと、可視光をほぼ透過させない多数のフィルタ要素２ｂとを備える。この場合、フィルタアレイ２のフィルタ要素２ａ、２ｂはすべて、観察者６の視線方向Ｂに見て透明な基材３の背面に塗布され、この基材は画像再生装置１の前に位置する。
【００３８】
外乱光反射の発生を防止するため、観察者６の視線方向Ｂに見て透明な基材３の前面４に、反射防止コーティングされた表面を設ける。この場合、この透明な基材３の背面のうち、ある特定の波長領域で透過性あるフィルタ要素２ａが塗布されている表面部分だけに、やはり反射防止コーティングされた表面を設ける。しかし透明な基材３の背面のそのほかの表面部分、すなわち可視光をほぼ透過させないフィルタ要素２ｂが塗布されている表面部分には、反射防止コーティングされた表面を設けない。
【００３９】
ここに例を示した実施形態では、可視光をほぼ透過させるフィルタ要素２ａと、ほぼ透過させないフィルタ要素２ｂの両者だけが、フィルタアレイ２に設けられている。さらには透明な基材３はガラス製、例えばドイツ国、Ｇｒｕｅｎｅｎｐｌａｎ市、Ｓｃｈｏｔｔ−Ｇｌａｓｗｅｒｋｅ社の製品Ｃｏｎｔｕｒａｎからなるものとする。
【００４０】
透明な基材３の反射防止コーティングされた表面はすべて、多層コーティングとして形成される。この種の措置は、専門家には十分知られていることである。透明な基材３は、スペーサーを介して画像再生装置１に固定される。例えば接着される。
【００４１】
画像再生装置１としては、例えばＮＥＣ  ＬＣＤ４０００タイプのカラーＬＣディスプレイを用いる。
【００４２】
フィルタアレイ２の個々のフィルタ要素２ａ、２ｂは、それぞれ四角形の輪郭を持つ。
【００４３】
有利な方法として、可視光をほぼ透過させないフィルタ要素２ｂを、印刷プロセスにより、マットブラック顔料として、透明な基材３の背面に塗布する。しかし可視光をほぼ透過させるフィルタ要素２ａは、単純にそれに相当する箇所から顔料を欠落させることによって得られる。そのためこの顔料は、フィルタアレイ２の組織構造としてプリントされる。
【００４４】
透明な基材３の背面のうち、ある特定の波長領域で透過性あるフィルタ要素２ａが塗布されている表面部分に、反射防止コーティングされた表面が設けられるようにしたい。しかし透明な基材３の背面のうち、可視光をほぼ透過させないフィルタ要素２ｂが塗布されている表面部分には、反射防止コーティングされた表面が設けられないようにしたい。そのためには、さらに下記の製造手順を用いることができる。まず透明な基材３の前面４だけに、反射防止コーティングされた表面を設けるが、背面には反射防止コーティングを施さない。背面には、可視光をほぼ透過させないフィルタ要素２ｂをプリントする。続いて追加的な反射防止フィルムを、好ましくは接着性の多層反射防止フィルムを、顔料を施された背面に付着させる。これは例えば２本のロール間の圧着により行う。
【００４５】
好ましくは、顔料は塗布した後に熱処理を加えられて、その耐久性を改善される。
【００４６】
例えば透明な基材３と、画像再生装置１の画像生成表面との間に、１１ｍｍの間隔５を設ける。
【００４７】
上記の方法で、外乱光反射の発生を十分に防止し、３Ｄ表示の視認性を改善する。この場合同時に、配置物の外側表面に高度の耐久性が実現される。本発明はまた単純な手段で実現可能である。
【００４８】
図２は本発明の第２の実施形態を示す。ここに示した配置物は、ＮＥＣ  ＬＣＤ４０００タイプの画像再生装置１を備える。このタイプは、フルカラーの画素―それぞれが赤、緑、青のカラーサブピクセルからなる―１２８０列×７６８行を持ち、これらの画素は、事前指定された割り当てにより、シーン、対象物、またはテキストごとに、１つまたは複数の像からなる情報を表示する。またこの配置物は、観察者６の視線方向Ｂに見て画像再生装置１の手前に配置されたフィルタアレイ２を備える。このフィルタアレイは、可視光をほぼ透過させる多数のフィルタ要素２ａ、および可視光をほぼ透過させない多数のフィルタ要素２ｂを備える。図１に示した例とは異なって、可視光をほぼ透過させないフィルタ要素２ｂは、観察者６の視線方向Ｂに見て透明な基材３の前面に―この基材は画像再生装置１の手前に置かれている―塗布されている。そのほか可視光をほぼ透過させないフィルタ要素２ｂは、散漫散乱性および／またはつや消し表面を持つ。
【００４９】
透明な基材３は、両面を多層コーティングにより反射防止コーティングされた、厚さ３ｍｍの、Ｃｏｎｔｕｒａｎタイプのガラスプレートである。このガラスプレートには、可視光をほぼ透過させないフィルタ要素２ｂが、マットブラック顔料として塗布されている。この顔料は、スクリーンプリンティングプロセスによって、フィルタアレイ２の組織構造として塗布されている。有利な方法として、この顔料は塗布後に熱処理される。これは顔料の耐久性を向上させ、そして／または散漫散乱性および／またはつや消し表面７の生成を助ける。付言するならば、可視光をほぼ透過させるフィルタ要素２ａは、顔料を単純に欠落させることによって形成される。
【００５０】
フィルタアレイ２の個々のフィルタ要素２ａ、２ｂは、それぞれが任意の輪郭、好ましくは四角形の輪郭を持つ。さらには透明な基材３すなわちＣｏｎｔｕｒａｎプレートと、画像再生装置１の画像生成表面との間には、８ｍｍの間隔５を設ける。
【００５１】
この実施例の１つの特殊な実施形態は、可視光をほぼ透過させないフィルタ要素２ｂの散漫散乱性および／またはつや消し表面７として、次のようなものを意図する。すなわちこの表面は、―ＬＣＤパネルに一般に用いられる―反射防止つや消しコーティングによって形成され、このコーティングを、追加的なコンポーネントとして、可視光をほぼ透過させないフィルタ要素２ｂに塗布される。
【００５２】
この実施例によっても、外乱光反射の発生が単純な手段で十分に防止され、３Ｄ表示の視認性が改善される。
【００５３】
本発明の第３の実施形態を、図３に模式的に示す。ここに示す配置物も、画像を三次元視認できるように表示するものであって、ＮＥＣ  ＬＣＤ４０００タイプの画像再生装置１を備える。このタイプは、フルカラーの画素―それぞれが赤、緑、青のカラーサブピクセルからなる―１２８０列×７６８行を持ち、これらの画素は、事前指定された割り当てにより、シーン、対象物、またはテキストごとに、１つまたは複数の像からなる情報を表示する。またこの配置物は、観察者６の視線方向Ｂに見て画像再生装置１の手前に配置されたフィルタアレイ２を備える。このフィルタアレイは、ある特定の波長領域で透過性ある多数のフィルタ要素２ａ、および可視光をほぼ透過させない多数のフィルタ要素２ｂを備える。図２に示した例と同様に、この場合も可視光をほぼ透過させないフィルタ要素２ｂは、観察者６の視線方向Ｂに見て透明な基材３の前面に塗布されている。この基材は、第１のＣｏｎｔｕｒａｎガラスプレートであって、厚さ３ｍｍ、画像再生装置１の表面から８ｍｍの間隔５を取って設けられている。
【００５４】
しかし観察者６の視線方向Ｂに見てフィルタアレイ２の手前には、１つの透明なプレートがある。これは第２のＣｏｎｔｕｒａｎガラスプレートであって、やはり厚さ３ｍｍ、両面を多層コーティングにより反射防止コーティングされている。
【００５５】
フィルタアレイ２には、可視光をほぼ透過させるフィルタ要素２ａと、ほぼ透過させないいわゆる不透明なフィルタ要素２ｂの両者だけが設けられている。フィルタアレイ２の個々のフィルタ要素２ａ、２ｂは、それぞれが四角形の輪郭を持つ。
【００５６】
透明な基材３、すなわち第１のＣｏｎｔｕｒａｎガラスプレートには、可視光をほぼ透過させないフィルタ要素２ｂが、黒色の―好ましくはマットブラック―顔料として塗布、例えばプリントされている。プリントにはスクリーンプリンティング法が適している。この場合顔料は、プリントプロセスによってフィルタアレイ２の組織構造として塗布される。したがって後からさらにフィルタアレイ２を組織化する必要はない。可視光をほぼ透過させるフィルタ要素２ａは、この場合単純に透明な基材３における顔料を欠落させることによって形成される。
【００５７】
可視光をほぼ透過させないフィルタ要素２ｂを、透明な基材３すなわち第１のＣｏｎｔｕｒａｎガラスプレートにおいて、観察者６の視線方向Ｂに見てその前面に塗布することにより、外からの外乱光の反射を非常に良好に最小限化することができる。同時に、両面を反射防止コーティングされたプレート８、すなわち第２のＣｏｎｔｕｒａｎガラスプレートによって、フィルタアレイ２の機械的な保護が得られる。この場合、両面に反射防止コーティングされているので、外乱光の影響は非常にわずかである。したがって、外乱光反射の発生を防止し、同時に配置物の外側表面に高度の耐久性を得るという課題が、本発明の配置物のこの実施形態によっても解決される。
【００５８】
透明なプレート８と、可視光をほぼ透過させないフィルタ要素２ｂとの間には、空気が充満する約０．５ｍｍの間隔が設けられている。
【００５９】
さらには透明な基材３―第１のＣｏｎｔｕｒａｎガラスプレート―と、画像再生装置１の画像生成表面との間には、８ｍｍの間隔５が設けられている。この間隔は、透明な基材３と画像再生装置１とのそれぞれたがいに向かい合う表面から測定されるものをいう。
【００６０】
この配置物によっても、外乱光反射の発生が十分に防止される。これにより３Ｄ表示の視認性が改善される。この場合同時に、配置物の外側表面に高度の耐久性が実現される。本発明はまた単純な手段で実現できる。
【図面の簡単な説明】
【００６１】
【図１】本発明の第１の実施形態である。
【図２】本発明の第２の実施形態である。
【図３】本発明の第３の実施形態である。
【符号の説明】
【００６２】
１  画像再生装置
２  フィルタアレイ
２ａ、２ｂ  フィルタ要素
３  透明な基材
４  基材の表面
５  間隔
６  観察者
７  フィルタ要素の表面
８  透明なプレート
Ｂ  視線方向
【図１】
2008512696.tif 000003
【図２】
2008512696.tif 000004
【図３】
2008512696.tif 000005
【国際調査報告】
2008512696.tif 000006
2008512696.tif 000007
2008512696.tif 000008
2008512696.tif 000009
2008512696.tif 000010
2008512696.tif 000011